【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】    ガードナーカラー約４未満を有しそして環球式軟化点約８５ないし約１００℃を有する炭化水素コポリマー樹脂を作製する方法であって、
（ａ）  不飽和脂肪族モノマーを含む第一の主要なＣ5炭化水素成分であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流を供給し、
（ｂ）  モノビニル芳香族Ｃ8〜Ｃ12モノマーを含む第二の炭化水素成分を供給し、
（ｃ）  前記不飽和脂肪族モノマーと前記モノビニル芳香族Ｃ8〜Ｃ12モノマーとの質量比約１．５／１ないし約２５／１を得るように前記これらの成分を混成し、
（ｄ）  前記混成した成分を約２５ないし約７５℃で重合し、そして
（ｅ）  前記コポリマー樹脂を回収する
ことを含み、前記コポリマー樹脂がＭｚ約２５００ないし約４０００ダルトンおよび多分散度約１．７ないし約２．０を有する炭化水素コポリマー樹脂の作製方法。
【請求項２】  前記不飽和脂肪族モノマーがさらにＣ4〜Ｃ5イソオレフィンを含む請求項１に記載の方法。
【請求項３】  前記流れの混成が前記不飽和脂肪族モノマーと前記モノビニル芳香族Ｃ8〜Ｃ12モノマーとの質量比約２３／１ないし約２５／１で行い、そしてさらに前記コポリマー樹脂が環球式軟化点約９０℃ないし１００℃である請求項１に記載の方法。
【請求項４】  前記流れの混成が前記不飽和脂肪族モノマーと前記モノビニル芳香族Ｃ8〜Ｃ12モノマーとの質量比約３／１ないし約５／１で行い、そしてさらに前記コポリマー樹脂が環球式軟化点約８５℃ないし９５℃である請求項１に記載の方法。
【請求項５】  前記コポリマー樹脂がＭｚ約２７００ないし約４０００ダルトンおよび多分散度約１．７ないし約２．０を有する請求項４に記載の方法。
【請求項６】  前記流れの混成が前記不飽和脂肪族モノマーと前記モノビニル芳香族Ｃ8〜Ｃ12モノマーとの質量比約１．５／１ないし約２．５／１で行い、そしてさらに前記コポリマー樹脂が環球式軟化点約８５℃ないし９５℃である請求項１に記載の方法。
【請求項７】  前記コポリマー樹脂がＭｚ約２０００ないし約３８００ダルトンおよび多分散度約１．７ないし約２．０を有する請求項６に記載の方法。
【請求項８】  前記イソオレフィンがイソブチレンである請求項２に記載の方法。
【請求項９】 イソブチレンを含む第三の成分が工程（ｄ）の前に供給され、前記第三の成分が実質的に前記モノマー類を含有しない請求項１に記載の方法。
【請求項１０】  前記第三の成分が前記イソブチレン９９質量％以上で含む請求項９に記載の方法。
【請求項１１】  前記モノビニル芳香族Ｃ8〜Ｃ12モノマーがα−メチルスチレンである請求項１に記載の方法。
【請求項１２】  前記第二の成分がα−メチルスチレン約９９質量％以上で含有する請求項１１に記載の方法。
【請求項１３】 重合がフリーデルクラフツ触媒約０．５〜約４質量％を含むカチオン重合である請求項１に記載の方法。
【請求項１４】  前記フリーデルクラフツ触媒が液化ＡｌＣｌ3／Ｈ2Ｏ／トリメチルベンゼン複合体である請求項１３に記載の方法。
【請求項１５】  前記複合体が、ＡｌＣｌ3とＨ2Ｏとのモル比約３／１ないし約７／１およびトリメチルベンゼンとＨ2Ｏとのモル比約３／１ないし約７／１を有する請求項１４に記載の方法。
【請求項１６】 （ａ）  不飽和脂肪族モノマーを含有する第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む第二の炭化水素流と
から実質的になるモノマー流の反応生成物を含み、
前記不飽和脂肪族モノマーと前記モノビニル芳香族Ｃ8〜Ｃ12モノマーとの質量比を約１．５／１ないし約６／１として、ガードナーカラー約４未満を有し、環球式軟化点約８５ないし約１００℃を有しそして多分散度約１．７ないし約２．０を有する樹脂とした、炭化水素コポリマー樹脂。
【請求項１７】  前記樹脂がＭｚ約２５００ないし約４０００を有する請求項１６に記載の樹脂。
【請求項１８】  前記モノビニル芳香族Ｃ8〜Ｃ12モノマーがα−メチルスチレンである請求項１６に記載の樹脂。
【請求項１９】  さらにイソオレフィンモノマー約０ないし約１５質量％を含み、前記イソオレフィンモノマーがイソブチレン、イソアミレンおよびこれらの組合せから成る群より選択され、そしてさらに前記イソオレフィンモノマーが前記質量比で前記不飽和脂肪族モノマーとして含まれる請求項１６に記載の樹脂。
【請求項２０】 （ａ）  不飽和脂肪族モノマーを含有する第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む第二の炭化水素流と
の反応生成物を含み、
前記不飽和脂肪族モノマーと前記モノビニル芳香族Ｃ8〜Ｃ12モノマーとの質量比を約１５／１ないし約５０／１として、ガードナーカラー約４未満を有し、環球式軟化点約８５ないし約１００℃を有しそしてＭｚ約４０００未満を有する樹脂とした、炭化水素コポリマー樹脂。
【請求項２１】  前記樹脂がＭｚ約２５００ないし約４０００および多分散度約１．７ないし約２．０を有する請求項２０に記載の樹脂。
【請求項２２】  前記モノビニル芳香族Ｃ8〜Ｃ12モノマーがα−メチルスチレンである請求項２０に記載の樹脂。
【請求項２３】  さらにイソオレフィンモノマー約１５ないし約２５質量％を含み、前記イソオレフィンモノマーがイソブチレン、イソアミレンおよびこれらの組合せから成る群より選択され、そして前記イソオレフィンモノマーが前記質量比で前記不飽和脂肪族モノマーとして含まれる請求項２０に記載の樹脂。
【請求項２４】  （ａ）  不飽和脂肪族モノマーを含有する第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む第二の炭化水素流と
の反応生成物を含み、
前記不飽和脂肪族モノマーと前記モノビニル芳香族Ｃ8〜Ｃ12モノマーとの質量比を約４／１ないし約２１／１とし、前記樹脂がＭｚ約４０００未満を有する、炭化水素コポリマー樹脂。
【請求項２５】  前記不飽和脂肪族モノマーと前記モノビニル芳香族Ｃ8〜Ｃ12モノマーとの質量比を約４／１とした請求項２４に記載の樹脂。
【請求項２６】  前記不飽和脂肪族モノマーと前記モノビニル芳香族Ｃ8〜Ｃ12モノマーとの質量比を約２１／１とした請求項２４に記載の樹脂。
【請求項２７】  前記樹脂がＭｚ約２０００ないし４０００、多分散度約１．７ないし約２．０、ガードナーカラー約４未満および環球式軟化点約８５ないし約１００℃を有する請求項２４に記載の樹脂。
【請求項２８】  前記モノビニル芳香族Ｃ8〜Ｃ12モノマーがα−メチルスチレンである請求項２４に記載の樹脂。
【請求項２９】  さらにイソオレフィンモノマー約１５ないし約２５質量％を含み、前記イソオレフィンモノマーがイソブチレン、イソアミレンおよびこれらの組合せから成る群より選択され、そして前記イソオレフィンモノマーが前記質量比で前記不飽和脂肪族モノマーとして含まれる請求項２４に記載の樹脂。
【請求項３０】  （ａ）  不飽和脂肪族モノマーを含有する第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む第二の炭化水素流と
の反応生成物を含み、
前記不飽和脂肪族モノマーと前記モノビニル芳香族Ｃ8〜Ｃ12モノマーとの質量比を約１．５／１ないし約５０／１とし、炭化水素コポリマー樹脂を形成する反応中にテルペンが実質的に存在せず、そして前記樹脂がＭｚ約４０００未満を有する、炭化水素コポリマー樹脂。
【請求項３１】  前記樹脂がＭｚ約２０００ないし４０００、多分散度約１．７ないし約２．０、ガードナーカラー約４未満および環球式軟化点約８５ないし約１００℃を有する請求項３０に記載の樹脂。
【請求項３２】  前記モノビニル芳香族Ｃ8〜Ｃ12モノマーがα−メチルスチレンである請求項３０に記載の樹脂。
【請求項３３】  さらにイソオレフィンモノマー約０ないし約1５質量％を含み、前記イソオレフィンモノマーがイソブチレン、イソアミレンおよびこれらの組合せから成る群より選択され、そしてさらに前記イソオレフィンモノマーが前記質量比で前記不飽和脂肪族モノマーとして含まれる請求項３０に記載の樹脂。
【請求項３４】  （ａ）  不飽和脂肪族モノマーを含有する第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む第二の炭化水素流と
の反応生成物を含み、
前記不飽和脂肪族モノマーと前記モノビニル芳香族Ｃ8〜Ｃ12モノマーとの質量比を約１．５／１ないし約５０／１として、ガードナーカラー約４未満を有し、環球式軟化点約８５ないし約１００℃を有しそして多分散度約１．７ないし約２．０を有しそしてＭｚ約４０００未満を有する樹脂とした、炭化水素コポリマー樹脂。
【請求項３５】  前記モノビニル芳香族Ｃ8〜Ｃ12モノマーがα−メチルスチレンである請求項３４に記載の樹脂。
【請求項３６】  さらにイソオレフィンモノマー約０ないし約1５質量％を含み、前記イソオレフィンモノマーがイソブチレン、イソアミレンおよびこれらの組合せから成る群より選択され、そして前記イソオレフィンモノマーが前記質量比で前記不飽和脂肪族モノマーとして含まれる請求項３４に記載の樹脂。
【請求項３７】  連鎖移動剤が前記樹脂の形成に用いられていない請求項１６に記載の樹脂。
【請求項３８】  前記樹脂が
（ａ）  不飽和脂肪族モノマーを含有する前記第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む前記第二の炭化水素流と
から実質的になるモノマー流の反応生成物を含む請求項２０に記載の樹脂。
【請求項３９】  連鎖移動剤が前記樹脂の形成に用いられていない請求項２０に記載の樹脂。
【請求項４０】  前記樹脂が
（ａ）  不飽和脂肪族モノマーを含有する前記第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む前記第二の炭化水素流と
から実質的になるモノマー流の反応生成物を含む請求項２４に記載の樹脂。
【請求項４１】  連鎖移動剤が前記樹脂の形成に用いられていない請求項２４に記載の樹脂。
【請求項４２】  前記樹脂が
（ａ）  不飽和脂肪族モノマーを含有する前記第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む前記第二の炭化水素流と
から実質的になるモノマー流の反応生成物を含む請求項３０に記載の樹脂。
【請求項４３】  連鎖移動剤が前記樹脂の形成に用いられていない請求項３０に記載の樹脂。
【請求項４４】  前記樹脂が
（ａ）  不飽和脂肪族モノマーを含有する前記第一の主要なＣ5炭化水素流であって、前記不飽和脂肪族モノマーがピペリレンモノマー、シクロペンタジエンおよびジシクロペンタジエンモノマー約２質量％未満およびイソプレン約１質量％未満の組合せを含む不飽和脂肪族モノマーを含有する第一の主要なＣ5炭化水素流と、
（ｂ）  モノビニル芳香族Ｃ8〜Ｃ12モノマーを含む前記第二の炭化水素流と
から実質的になるモノマー流の反応生成物を含む請求項３４に記載の樹脂。
【請求項４５】  連鎖移動剤が前記樹脂の形成に用いられていない請求項３４に記載の樹脂。